(57)【特許請求の範囲】
【請求項１】
サイリスタを使用して、発電機をガスタービン起動用電動機として用い、サイリスタ出力値のスケジュールに基づいてガスタービンを起動するガスタービン運転制御装置において、
予め決められた前記スケジュールに基づいて、前記サイリスタ出力値を決定する第１出力値決定手段と、
前記ガスタービンの起動開始からの経過時間に応じて推定される前記ガスタービンの回転数目標値と回転数計測値との誤差と、起動開始からの経過時間と、前記誤差を抑制するための第１補正値とを対応づけた対応情報を有し、該対応情報に基づいて、取得した前記誤差と前記経過時間から前記第１補正値を決定し、前記回転数目標値と前記回転数計測値との前記誤差が零に近づかない場合には、前記誤差を積分した値を、前記第１補正値に加算し、前記第１補正値を補正した第２補正値を決定する補正値決定手段と、
前記第２補正値により、前記サイリスタ出力値を補正し、補正後の前記サイリスタ出力値を出力する第２出力値決定手段と
を具備するガスタービン運転制御装置。
【請求項２】
前記補正値決定手段は、前記回転数目標値と前記回転数計測値との前記誤差が零でない時間が所定期間継続した場合には、前記誤差に補正係数を乗算した値に基づいて、前記対応情報を変更する請求項１に記載のガスタービン運転制御装置。
【請求項３】
前記補正値決定手段は、起動開始からの経過時間に応じて推定される前記ガスタービンの前記回転数目標値を大気温度に応じて調整し、前記ガスタービンの起動中における燃料と空気の実投入比率を一定に制御する請求項１または請求項２に記載のガスタービン運転制御装置。
【請求項４】
請求項１から請求項３のいずれかに記載のガスタービン運転制御装置を備えたガスタービン。
【請求項５】
サイリスタを使用して、発電機をガスタービン起動用電動機として用い、サイリスタ出力値のスケジュールに基づいてガスタービンを起動するガスタービン運転制御方法において、
予め決められた前記スケジュールに基づいて、前記サイリスタ出力値を決定する第１過程と、
前記ガスタービンの起動開始からの経過時間に応じて推定される前記ガスタービンの回転数目標値と回転数計測値との誤差と、起動開始からの経過時間と、前記誤差を抑制するための第１補正値とを対応づけた対応情報を有し、該対応情報に基づいて、取得した前記誤差と前記経過時間から前記第１補正値を決定し、前記回転数目標値と前記回転数計測値との前記誤差が零に近づかない場合には、前記誤差を積分した値を、前記第１補正値に加算し、前記第１補正値を補正した第２補正値を決定する第２過程と、
前記第２補正値により、前記サイリスタ出力値を補正し、補正後の前記サイリスタ出力値を出力する第３過程と
を有するガスタービン運転制御方法。
【請求項６】
サイリスタを使用して、発電機をガスタービン起動用電動機として用い、サイリスタ出力値のスケジュールに基づいてガスタービンを起動するガスタービン運転制御プログラムにおいて、
予め決められた前記スケジュールに基づいて、前記サイリスタ出力値を決定する第１処理と、
前記ガスタービンの起動開始からの経過時間に応じて推定される前記ガスタービンの回転数目標値と回転数計測値との誤差と、起動開始からの経過時間と、前記誤差を抑制するための第１補正値とを対応づけた対応情報を有し、該対応情報に基づいて、取得した前記誤差と前記経過時間から前記第１補正値を決定し、前記回転数目標値と前記回転数計測値との前記誤差が零に近づかない場合には、前記誤差を積分した値を、前記第１補正値に加算し、前記第１補正値を補正した第２補正値を決定する第２処理と、
前記第２補正値により、前記サイリスタ出力値を補正し、補正後の前記サイリスタ出力値を出力する第３処理とをコンピュータに実行させるためのガスタービン運転制御プログラム。
【発明の詳細な説明】
【技術分野】
【０００１】
本発明は、ガスタービン運転制御装置及び方法並びにプログラム、ガスタービン関するものである。
【背景技術】
【０００２】
一般的なガスタービン発電プラントでは、ガスタービンは圧縮機、燃焼器、タービン及び発電機を有しており、圧縮機において高圧にされた空気と、熱交換器により高温となった燃料ガスとが燃焼器に送られて燃焼し、その燃焼ガスによりタービンを駆動して発電機を運転している。近年、ＮＯｘ（窒素酸化物）排出など環境に対する悪影響をなるべく抑制するために、ガスタービンを予め設定された目標起動スケジュール通りに起動させることが重要視されている。
【０００３】
下記特許文献１には、サイリスタを使用し、ガスタービン起動時に発電機を電動機として使用してガスタービンの回転数上昇を補助するサイリスタ起動方式を採用する場合において、目標起動スケジュールに従って決定されるサイリスタ出力設定値によってサイリスタを制御し、ガスタービンの回転数計測値と回転数目標値とに誤差が生じている場合には、起動後の経過時間と誤差と、誤差を低減するための補正値とを対応付けた対応情報から読み出される補正値を用いてサイリスタ出力設定値を補正し、補正後のサイリスタ出力設定値を用いてサイリスタを制御する技術が開示されている。
【先行技術文献】
【特許文献】
【０００４】
【特許文献１】特開２０１１−１３２９５２号公報
【発明の概要】
【発明が解決しようとする課題】
【０００５】
しかしながら、上記特許文献１の方法では、運用当初において対応情報から読み出される補正値により誤差が零になるように制御されるとしても、ガスタービンが経年によって特性が変化し、対応情報で規定される補正値で補いきれない誤差が生じる場合には、目標とするガスタービンの起動時間と実際の起動時間とに生じるズレが大きくなり、ガスタービンを目標起動時間で起動できなくなるという問題があった。
【０００６】
本発明は、このような事情に鑑みてなされたものであって、ガスタービンの特性変化が生じても、ガスタービンを目標とする起動時間で起動できるガスタービン運転制御装置及び方法並びにプログラム、ガスタービンを提供することを目的とする。
【課題を解決するための手段】
【０００７】
上記課題を解決するために、本発明は以下の手段を採用する。
本発明は、サイリスタを使用して、発電機をガスタービン起動用電動機として用い、サイリスタ出力値のスケジュールに基づいてガスタービンを起動するガスタービン運転制御装置において、予め決められた前記スケジュールに基づいて、前記サイリスタ出力値を決定する第１出力値決定手段と、前記ガスタービンの起動開始からの経過時間に応じて推定される前記ガスタービンの回転数目標値と回転数計測値との誤差と、起動開始からの経過時間と、前記誤差を抑制するための第１補正値とを対応づけた対応情報を有し、該対応情報に基づいて、取得した前記誤差と前記経過時間から前記第１補正値を決定し、記回転数目標値と前記回転数計測値との前記誤差が零に近づかない場合には、前記誤差を積分した値を、前記第１補正値に加算し、前記第１補正値を補正した第２補正値を決定する補正値決定手段と、前記第２補正値により、前記サイリスタ出力値を補正し、補正後の前記サイリスタ出力値を出力する第２出力値決定手段とを具備するガスタービン運転制御装置を提供する。
【０００８】
このような構成によれば、サイリスタを使用して発電機をガスタービン起動用電動機として用い、サイリスタ出力のスケジュールに基づいてガスタービンを起動するガスタービン運転制御装置において、ガスタービンの起動開始からの経過時間に応じて推定される前記ガスタービンの回転数目標値と回転数計測値との誤差と、起動開始からの経過時間と、誤差を抑制するための第１補正値とが対応付けられる対応情報に基づいて、取得した誤差と経過時間の情報から第１補正値が決定され、誤差に基づいて第１補正値を補正した第２補正値に基づいて、サイリスタ出力値が補正される。
このように、ガスタービンが経年により特性変化し、ガスタービンの回転数目標値と回転数計測値との誤差が大きくなり、第１補正値で補いきれない誤差が生じた場合であっても、誤差を加味して第１補正値を補正した第２補正値によって補正したサイリスタ出力値で制御することで、ガスタービンを目標起動時間で正確に起動できるようになる。
【０００９】
上記ガスタービン運転制御装置の前記補正値決定手段は、前記回転数目標値と前記回転数計測値との前記誤差が零に近づかない場合には、前記誤差を積分した値を、前記第１補正値に加算し、前記第２補正値を決定することとしてもよい。
ガスタービンの回転数目標値と回転数計測値との誤差が小さくならない場合には、誤差を積分することにより誤差を零に収束させるので、より正確にガスタービンを目標起動時間で起動できるようになる。
【００１０】
上記ガスタービン運転制御装置の前記補正値決定手段は、前記回転数目標値と前記回転数計測値との前記誤差が零でない時間が所定期間継続した場合には、前記誤差に補正係数を乗算した値に基づいて、前記対応情報を変更することとしてもよい。
このように、ガスタービンの回転数目標値と回転数計測値との誤差が零でない時間が所定期間継続した場合には、対応情報自体を変更して補正することにより、より正確にガスタービンを目標起動時間で起動できるようになる。
【００１１】
上記ガスタービン運転制御装置の前記補正値決定手段は、起動開始からの経過時間に応じて推定される前記ガスタービンの前記回転数目標値を大気温度に応じて調整し、前記ガスタービンの起動中における燃料と空気の実投入比率を一定に制御することとしてもよい。
ガスタービンの回転数目標値を大気温度に応じて調整し、ガスタービン起動中における実投入比率を一定に制御することにより、失火やＮＯｘ（窒素酸化物）排出量増大などの不適切な事象を未然に防止することができる。
【００１２】
本発明は、上記いずれかに記載のガスタービン運転制御装置を備えたガスタービンを提供する。
【００１３】
本発明は、サイリスタを使用して、発電機をガスタービン起動用電動機として用い、サイリスタ出力値のスケジュールに基づいてガスタービンを起動するガスタービン運転制御方法において、予め決められた前記スケジュールに基づいて、前記サイリスタ出力値を決定する第１過程と、前記ガスタービンの起動開始からの経過時間に応じて推定される前記ガスタービンの回転数目標値と回転数計測値との誤差と、起動開始からの経過時間と、前記誤差を抑制するための第１補正値とを対応づけた対応情報を有し、該対応情報に基づいて、取得した前記誤差と前記経過時間から前記第１補正値を決定し、前記回転数目標値と前記回転数計測値との前記誤差が零に近づかない場合には、前記誤差を積分した値を、前記第１補正値に加算し、前記第１補正値を補正した第２補正値を決定する第２過程と、前記第２補正値により、前記サイリスタ出力値を補正し、補正後の前記サイリスタ出力値を出力する第３過程とを有するガスタービン運転制御方法を提供する。
【００１４】
本発明は、サイリスタを使用して、発電機をガスタービン起動用電動機として用い、サイリスタ出力値のスケジュールに基づいてガスタービンを起動するガスタービン運転制御プログラムにおいて、予め決められた前記スケジュールに基づいて、前記サイリスタ出力値を決定する第１処理と、前記ガスタービンの起動開始からの経過時間に応じて推定される前記ガスタービンの回転数目標値と回転数計測値との誤差と、起動開始からの経過時間と、前記誤差を抑制するための第１補正値とを対応づけた対応情報を有し、該対応情報に基づいて、取得した前記誤差と前記経過時間から前記第１補正値を決定し、前記回転数目標値と前記回転数計測値との前記誤差が零に近づかない場合には、前記誤差を積分した値を、前記第１補正値に加算し、前記第１補正値を補正した第２補正値を決定する第２処理と、前記第２補正値により、前記サイリスタ出力値を補正し、補正後の前記サイリスタ出力値を出力する第３処理とをコンピュータに実行させるためのガスタービン運転制御プログラムを提供する。
【発明の効果】
【００１５】
本発明は、ガスタービンの特性変化が生じても、ガスタービンを目標とする起動時間で起動できるという効果を奏する。
【図面の簡単な説明】
【００１６】
【図１】本発明の第１の実施形態に係るコンバインドサイクル発電システムの概略構成を示した図である。
【図２】本発明の第１の実施形態に係るガスタービン運転制御装置の機能ブロック図である。
【図３】本発明の第２の実施形態に係るガスタービン運転制御装置の機能ブロック図である。
【図４】本発明の第２の実施形態に係る対応情報の変更を説明するための図である。
【図５】本発明の第３の実施形態に係るガスタービン運転制御装置の機能ブロック図である。
【発明を実施するための形態】
【００１７】
以下に、本発明に係るガスタービン運転制御装置及び方法並びにプログラム、ガスタービンの実施形態について、図面を参照して説明する。
〔第１の実施形態〕
以下、本発明の第１の実施形態について、図１を用いて説明する。なお、本実施形態においては、ガスタービン運転制御装置を一軸型のコンバインドサイクル発電システムに適用する例について説明するが、本発明は、一軸型だけでなくガスタービンと蒸気タービンとを別軸に接続する多軸型コンバインドサイクル発電システムにも適用できる。
【００１８】
図１は、本実施形態に係る一軸型のコンバインドサイクル発電システム１００の概略構成を示したブロック図である。
コンバインドサイクル発電システム１００は、ガスタービン３に燃焼ガスを供給する燃焼器１１、燃焼器１１へ燃料を供給する燃料流路に設けられた流量調整弁４、ガスタービン３の運転を制御するガスタービン運転制御装置１０、圧縮機１、復水器７、復水ポンプ８、排熱回収ボイラ９、及び蒸気加減弁１２を備えている。なお、圧縮機１へ空気等を供給する配管には、空気等の作動流体の流量を調整するための圧縮機入口案内翼の角度を制御する圧縮機入口案内翼調整弁（ＩＧＶ調整弁）２が備えられている。また、ガスタービン３、蒸気タービン６、及び発電機５は一軸に配置されている。
【００１９】
このような構成において、燃焼器１１には、圧縮機１により圧縮された圧縮空気、及び流量調節弁４によって流量調節された燃料が供給され、これらが混合燃焼されて、燃焼ガスが生成される。この燃焼ガスは、ガスタービン３に流入し、ガスタービン３を回す動力として働く。これにより、ガスタービン３の回転力が発電機５に伝達され、発電機５が発電する。
【００２０】
ガスタービン３において仕事を果たした後の燃焼ガスは、排ガスとしてその下流の排熱回収ボイラ９へと導かれ、煙突（図示略）等を経て大気中へ放出される。排熱回収ボイラ９では排ガスから熱回収されて復水ポンプ８からの給水にて蒸気を発生し、蒸気は蒸気加減弁１２を通り、蒸気タービン６へ導かれる。蒸気タービン６へ導かれた蒸気は、蒸気タービン６を回転させる。この蒸気タービンの回転力は発電機５に伝達され、発電機５が発電する。
【００２１】
蒸気タービン６は、排熱回収ボイラ９より供給された蒸気により、膨張仕事をして発電機５を駆動させ、同時に膨張仕事を終えた蒸気を流路を介して復水器７に供給させる。
復水器７は、蒸気タービン６から供給された蒸気を凝縮し復水にさせる。この復水は、復水ポンプにより流路を流れ、排熱回収ボイラ９に供給される。この復水は、排熱回収ボイラ９内にて蒸気を発生させる際に必要とされる。
【００２２】
ガスタービン運転制御装置１０は、例えば、図示しないＣＰＵ（中央演算装置）、ＲＡＭ（Random Access Memory）、及びコンピュータ読み取り可能な記録媒体等から構成されている。後述の各種機能を実現するための一連の処理の過程は、プログラムの形式で記録媒体等に記録されており、このプログラムをＣＰＵがＲＡＭ等に読み出して、情報の加工・演算処理を実行することにより、後述の各種機能が実現される。
【００２３】
次に、ガスタービン運転制御装置１０が備える各部において実行される処理内容について図２を参照して説明する。図２は、ガスタービン運転制御装置１０が備える機能を展開して示した機能ブロック図が示されている。図２に示されるように、ガスタービン運転制御装置１０は、第１出力値決定部（第１出力値決定手段）２０、補正値決定部（補正値決定手段）２１、及び第２出力値決定部（第２出力値決定手段）２２を備えている。
【００２４】
第１出力値決定部２０は、予め決められたスケジュールに基づいて、サイリスタ出力値Ｓｏｕｔを決定する。具体的には、第１出力値決定部２０は、ガスタービン３の起動開始からの経過時間に対するトルクを指定するスケジュールマップＭｓを有しており、スケジュールマップＭｓから、経過時間に対応するトルク値をサイリスタ出力設定値Ｓｏｕｔとして読み出し、第２出力値決定部２２に出力する。
【００２５】
補正値決定部２１は、ガスタービンの起動開始からの経過時間に応じて推定されるガスタービン３の回転数目標値と回転数計測値との誤差と、起動開始からの経過時間と、誤差を抑制するための第１補正値Ｃとを対応づけた３次元マップで示される対応情報Ａを有し、対応情報Ａに基づいて、取得した誤差と経過時間の情報から第１補正値Ｃを決定し、誤差に基づいて第１補正値Ｃを補正した第２補正値Ｃ´を決定する。
具体的には、補正値決定部２１は、ガスタービンの起動開始からの経過時間と、経過時間に応じて推定されるガスタービンの回転数目標値とが対応づけられた目標値マップＭｔを有しており、起動開始からの経過時間に応じて、目標値マップＭｔから回転数目標値を読み出し、取得したガスタービンの回転数計測値との誤差を算出する。
【００２６】
補正値決定部２１は、対応情報Ａに基づいて、算出された誤差と起動開始からの経過時間とに相当する第１補正値Ｃを決定する。さらに、補正値決定部２１は、前回算出された第１補正値Ｃによって補正されたサイリスタ出力設定値Ｓｏｕｔ´によりガスタービンの運転制御がなされた後においても、次のタイミングで誤差が検出され、零に近づかない場合には、誤差を積分ＫＩ／ｓして誤差を零に収束させ、積分値を第１補正値Ｃに加算し、第２補正値Ｃ´として出力する。ここで、ＫＩを積分ゲイン、１／ｓを積分演算子とする。
第２出力値決定部２２は、補正後の補正値Ｃ´により、サイリスタ出力値Ｓｏｕｔを補正し、補正後のサイリスタ出力値Ｓｏｕｔ´を出力する。
【００２７】
次に、上述したガスタービン運転制御装置１０が備える各部において実行される処理内容について図１および図２を参照して説明する。なお、図２に示した各部により実現される後述の各種処理は、ＣＰＵが補助記憶装置に記憶されているガスタービン運転制御プログラムを主記憶装置に読み出して実行することにより実現されるものである。
コンバインドサイクル発電システム１００の運転が開始されると、時刻ｔ１において、スケジュールマップＭｓに基づいて、運転（起動）開始からの経過時間（例えば、ｔ１）に応じたサイリスタ出力値Ｓｏｕｔが読み出される。
【００２８】
運転開始からの経過時間（例えば、ｔ１）から推定されるガスタービンの回転数目標値が、目標値マップＭｔから読み出され、回転数目標値と現在のガスタービンの回転数計測値との誤差が算出される。また、運転開始からの経過時間と算出された誤差とに相当する第１補正値Ｃが対応情報Ａから読み出され、第１補正値Ｃによりサイリスタ出力値Ｓｏｕｔが補正され、補正後のサイリスタ出力値Ｓｏｕｔ´が出力される。サイリスタは、取得した補正後のサイリスタ出力値Ｓｏｕｔ´に基づいて制御される。
【００２９】
続いて、時刻ｔ２において、スケジュールマップＭｓに基づいて、運転開始からの経過時間（例えば、ｔ２）に応じたサイリスタ出力値Ｓｏｕｔが読み出される。運転開始からの経過時間（例えば、ｔ２）から推定されるガスタービンの回転数目標値が、目標値マップＭｔから読み出され、回転数目標値と現在のガスタービンの回転数計測値との誤差が算出される。ここで、算出された誤差が、零に近づかない場合には、誤差を積分ＫＩ／ｓし、対応情報Ａから読み出される第１補正値Ｃに積分値を加算し、補正後の第２補正値Ｃ´が算出される。また、算出された誤差が、零である場合には、誤差を積分しても第２補正値Ｃ´は零であるので、第２補正値Ｃ´＝第１補正値Ｃとなるが、これは、対応情報Ａから読み出した第１補正値Ｃによって補正したサイリスタ出力値Ｓｏｕｔ´による運転は、所望の運転であることを意味する。
算出された第２補正値Ｃ´によって、サイリスタ出力値Ｓｏｕｔを補正し、補正後のサイリスタ出力値Ｓｏｕｔ´をサイリスタの制御量としてサイリスタに出力される。
【００３０】
以上説明してきたように、本実施形態に係るガスタービン運転制御装置１０及び方法並びにプログラム、ガスタービンによれば、ガスタービンの起動開始からの所定間隔の経過時間毎に、ガスタービンの回転数目標値と回転数計測値との誤差を算出し、誤差に応じて第１補正値Ｃを積分値によって調整し、サイリスタ出力値Ｓｏｕｔを調整する。誤差が小さくなっている場合には、サイリスタ出力値Ｓｏｕｔを対応情報Ａによる第１補正値Ｃで補正した運転で所望の起動がなされていることとなるが、誤差が小さくなっていない場合には、経年変化により、対応情報Ａの第１補正値Ｃでは補正しきれず、ズレが大きくなっていることが推定されるので、第１補正値Ｃに誤差を積分した値を加算した第２補正値Ｃ´によってサイリスタ出力値Ｓｏｕｔを補正する。
これにより、ガスタービンが経年により特性変化することにより誤差が大きくなり、対応情報Ａで設定されている補正値Ｃで補いきれない誤差が生じた場合であっても、回転数目標値と回転数計測値との誤差に基づいて、サイリスタ出力値Ｓｏｕｔの第１補正値Ｃが補正されるので、ガスタービンを目標起動時間で正確に起動できるようになる。
【００３１】
〔第２の実施形態〕
次に、本発明の第２の実施形態に係るガスタービン運転制御装置について、図３を用いて説明する。本実施形態のガスタービン運転制御装置が第１の実施形態と異なる点は、ガスタービンの回転数目標値と回転数計測値との誤差に基づいて、対応情報Ａを変更する点である。以下、本実施形態のコンバインドサイクル発電システムについて、第１の実施形態と共通する点については説明を省略し、異なる点について主に説明する。
【００３２】
図３に示されるように、補正値決定部２１ａは、回転数目標値と回転数計測値との誤差が零でない時間が所定期間継続した場合には、誤差に補正係数を乗算した値に基づいて、対応情報を変更する。具体的には、補正値決定部２１ａは、時間計測部Ｔにより回転数目標値と回転数計測値との誤差が継続して零でない値となる期間を計測しており、誤差が継続して零でない期間が所定期間検出された場合に、対応情報を変更する。
対応情報の変更は、例えば、図４に示されるように、対応情報Ａを行列で示されるマップパラメータとする場合には、対応情報Ａと同じ大きさであり、全て同じ値（例えば、要素が全て１）となる行列に補正係数ηを乗算し、その結果を現在の対応情報Ａに加算し、新たな対応情報Ａ´を生成する。
【００３３】
このように、ガスタービンの回転数目標値と回転数計測値との誤差が零でない時間が所定期間継続した場合には、対応情報Ａ自体を変更して補正することにより、より正確にガスタービンを目標起動時間で起動できるようになる。
【００３４】
〔第３の実施形態〕
次に、本発明の第３の実施形態に係るガスタービン運転制御装置について、図５を用いて説明する。本実施形態のガスタービン運転制御装置が第１の実施形態、第２の実施形態と異なる点は、目標値マップＭｔを大気温度に応じて変更する点である。以下、本実施形態のコンバインドサイクル発電システムについて、第１の実施形態、第２の実施形態と共通する点については説明を省略し、異なる点について主に説明する。
【００３５】
補正値決定部２１ｂは、起動開始からの経過時間に応じて推定されるガスタービンの回転数目標値を大気温度に応じて調整し、ガスタービンの起動中における燃料と空気の実投入比率を一定に制御する。例えば、図５に示されるように、補正値決定部２１ｂは、圧縮機１に吸入される大気温度の情報と補正係数とを対応づけた目標値補正マップを有しており、目標値補正マップに基づいて、取得した大気温度の情報に対応する補正係数を読み出し、起動開始からの経過時間に応じて推定される回転数目標値に補正係数を乗算して、回転数目標値を補正する。
【００３６】
大気温度に応じてガスタービンに投入する空気流量が異なる場合には、燃料と空気との実投入比率が、ガスタービン回転数の昇速中は変動することが推定されるが、本実施形態においては、大気温度に応じた補正係数によってガスタービンの回転数目標値を調整するので、大気温度が変動しても投入する燃料流量が略変動せず、実投入比率が一定に保たれることとなる。
このように、ガスタービンの回転数目標値を大気温度に応じて調整し、ガスタービン起動中における実投入比率を一定に制御することにより、失火やＮＯｘ（窒素酸化物）排出量増大などの不適切な事象を未然に防止することができる。
【００３７】
なお、この目標値補正マップは、固定値として限定されることはなく、例えば、実際の計測値から外れている場合に、燃焼効率などのガスタービンの特性変化に応じて、調整されることとしてもよい。
【００３８】
なお、本発明の実施形態は、上述の第１の実施形態、第２の実施形態、及び第３の実施形態のみに限定されることはない。例えば、第１の実施形態と第２の実施形態とを適宜組み合わせる等してもよい。
例えば、第１の実施形態と第２の実施形態とを組み合わせることにより、それぞれが単独で用いられる場合と比較して、さらに正確にガスタービンが目標起動時間で起動できるようになる。このように、本発明は、第１の実施形態と第２の実施形態とを組み合わせることにより、単に組み合わせることによる構成の相違だけでなく、それによる相乗効果が得られる。
【符号の説明】
【００３９】
５  発電機
１０  ガスタービン運転制御装置
２０  第１出力値決定部（第１出力値決定手段）
２１  補正値決定部（補正値決定手段）
２２  第２出力値決定部（第２出力値決定手段）
１００  コンバインドサイクル発電システム
【図１】
0005840015.tif 000002
【図２】
0005840015.tif 000003
【図３】
0005840015.tif 000004
【図４】
0005840015.tif 000005
【図５】
0005840015.tif 000006